(57)【要約】【課題】折り畳み式で２つの表示面を有する表示装置を開いたときの表示面同士の境目を小さくすること。【解決手段】第１筐体１１には第１表示面１２が設けられ、第２筐体２１は第２表示面２２が設けられている。連結部３０は、第１筐体１１及び第２筐体２１を、第１表示面１２及び第２表示面２２を外向きにして折り畳み可能に連結する。連結部３０の外周には、第３表示面３３が設けられている。第３表示面３３は、第１表示面１２に連続する表示面であり、スマートフォン１が開いたときに第２筐体２１及び連結部３０の隙間に隠れる位置に設けられている。第２筐体２１は、連結部３０側の端で且つ２つのカバー部３２の間に、スマートフォン１が開いたとき第３表示面３３に対向する対向面２３を有する。対向面２３は、円柱の外周面の一部を成す形をした第３表示面３３に対向するため、円筒の内周面の一部を成す形をしている。【選択図】図１
2020118751.tif 000002
【特許請求の範囲】
【請求項１】
第１表示面が設けられた板状の第１筐体と、
第２表示面が設けられた板状の第２筐体と、
前記第１筐体及び前記第２筐体を前記第１表示面及び前記第２表示面を外向きにして折り畳み可能に連結し、前記第１表示面に連続する第３表示面が設けられた連結部と
を備え、
前記第３表示面は、両筐体が開いたときに前記第２筐体及び前記連結部の隙間に隠れる
表示装置。
【請求項２】
前記第３表示面は、円柱の外周面の一部を成す形をしており、
前記第２筐体は、前記両筐体が開いたとき前記第３表示面に対向し且つ円筒の内周面の一部を成す形をした対向面を有する
請求項１に記載の表示装置。
【請求項３】
前記連結部は、中空の円柱の形をしており、内部に回路が設けられている
請求項２に記載の表示装置。
【請求項４】
前記連結部には、前記両筐体が折り畳まれているときには前記第２表示面と同じ方向を向き、前記両筐体が開いたときには前記第２表示面とは反対方向を向く位置にカメラのレンズが設けられている
請求項３に記載の表示装置。
【請求項５】
前記連結部の内部には、円柱の形をしたバッテリーが設けられている
請求項３又は４に記載の表示装置。
【請求項６】
前記第１表示面、前記第２表示面及び前記第３表示面を１つの表示面として捉えた表示領域への表示を前記両筐体の開き具合に応じて制御する表示制御部を備える
請求項１から５のいずれか１項に記載の表示装置。
【請求項７】
前記表示制御部は、前記表示領域に画像を表示させる場合に、当該画像を、縦横比を維持しながら、前記表示領域のうち前記隙間に隠れている部分を除いた領域に収まる最大の大きさで表示させる
請求項６に記載の表示装置。
【請求項８】
前記表示制御部は、前記表示領域に画像を表示させる場合に、当該画像を、縦横比を維持しながら、前記表示領域のうち前記隙間に隠れている部分を除いた領域に、前記表示領域が最も小さくなるときに当該表示領域に収まる最大の大きさで表示させる
請求項６に記載の表示装置。
【請求項９】
前記表示制御部は、前記両筐体が折り畳まれて前記第１表示面に画像を表示した状態から前記第３表示面が前記隙間に隠れ始める位置まで前記両筐体が開いた場合に、前記表示領域への表示制御を開始する
請求項６から８のいずれか１項に記載の表示装置。
【請求項１０】
前記表示制御部は、前記表示領域に２つの画像を表示させる場合に、当該２つの画像の境界を示す画像を表示させる
請求項６から９のいずれか１項に記載の表示装置。
【発明の詳細な説明】
【技術分野】
【０００１】
本発明は、折り畳み可能な表示装置に関する。
【背景技術】
【０００２】
折り畳み可能な表示装置が知られている。特許文献１には、折り畳み可能な２つの表示パネルの角度を所定角度で固定する中間固定手段を備える表示装置が開示されている。
【先行技術文献】
【特許文献】
【０００３】
【特許文献１】特開２００１−１７５１９１号公報
【発明の概要】
【発明が解決しようとする課題】
【０００４】
特許文献１の表示装置のように折り畳みが可能で且つ表示面を２つ有する表示装置では、例えば２つの表示面が並んだ状態になったときには表示面同士の境目が小さいほど１つ表示面としてきれいに見ることができる。
そこで、本発明は、折り畳み式で２つの表示面を有する表示装置を開いたときの表示面同士の境目を小さくすることを目的とする。
【課題を解決するための手段】
【０００５】
上記目的を達成するために、本発明は、第１表示面が設けられた板状の第１筐体と、第２表示面が設けられた板状の第２筐体と、前記第１筐体及び前記第２筐体を前記第１表示面及び前記第２表示面を外向きにして折り畳み可能に連結し、前記第１表示面に連続する第３表示面が設けられた連結部とを備え、前記第３表示面は、両筐体が開いたときに前記第２筐体及び前記連結部の隙間に隠れる表示装置を提供する。
【０００６】
また、前記第３表示面は、円柱の外周面の一部を成す形をしており、前記第２筐体は、前記両筐体が開いたとき前記第３表示面に対向し且つ円筒の内周面の一部を成す形をした対向面を有していてもよい。
【０００７】
また、前記連結部は、中空の円柱の形をしており、内部に回路が設けられていてもよい。
【０００８】
また、前記連結部には、前記両筐体が折り畳まれているときには前記第２表示面と同じ方向を向き、前記両筐体が開いたときには前記第２表示面とは反対方向を向く位置にカメラのレンズが設けられていてもよい。
【０００９】
また、前記連結部の内部には、円柱の形をしたバッテリーが設けられていてもよい。
【００１０】
また、前記第１表示面、前記第２表示面及び前記第３表示面を１つの表示面として捉えた表示領域への表示を前記両筐体の開き具合に応じて制御する表示制御部を備えていてもよい。
【００１１】
また、前記表示制御部は、前記表示領域に画像を表示させる場合に、当該画像を、縦横比を維持しながら、前記表示領域のうち前記隙間に隠れている部分を除いた領域に収まる最大の大きさで表示させてもよい。
【００１２】
また、前記表示制御部は、前記表示領域に画像を表示させる場合に、当該画像を、縦横比を維持しながら、前記表示領域のうち前記隙間に隠れている部分を除いた領域に、前記表示領域が最も小さくなるときに当該表示領域に収まる最大の大きさで表示させてもよい。
【００１３】
また、前記表示制御部は、前記両筐体が折り畳まれて前記第１表示面に画像を表示した状態から前記第３表示面が前記隙間に隠れ始める位置まで前記両筐体が開いた場合に、前記表示領域への表示制御を開始してもよい。
【００１４】
また、前記表示制御部は、前記表示領域に２つの画像を表示させる場合に、当該２つの画像の境界を示す画像を表示させてもよい。
【発明の効果】
【００１５】
本発明によれば、折り畳み式で２つの表示面を有する表示装置を開いたときの表示面同士の境目を小さくすることができる。
【図面の簡単な説明】
【００１６】
【図１】実施例に係るスマートフォンの外観を表す図
【図２】分解されたスマートフォンを表す図
【図３】スマートフォンが開く様子を表す図
【図４】スマートフォンが開く様子を表す図
【図５】スマートフォンのハードウェア構成を表す図
【図６】全画面表示の開始制御の一例を表す図
【図７】全画面表示制御の一例を表す図
【図８】全画面表示制御における動作手順の一例を表す図
【図９】変形例の全画面表示制御の一例を表す図
【図１０】境界画像の一例を表す図
【発明を実施するための形態】
【００１７】
［１］実施例
図１は実施例に係るスマートフォン１の外観を表す。スマートフォン１は、折り畳み可能な２画面の端末であり、本発明の「表示装置」の一例である。図１では閉じられた状態のスマートフォン１が表されている。スマートフォン１は、第１表示部１０と、第２表示部２０と、連結部３０とを備える。閉じられた状態のスマートフォン１においては、第１表示部１０側を正面とし、第２表示部２０側を裏側とする。
【００１８】
図１（ａ）では正面から見たスマートフォン１が表され、図１（ｃ）では裏側から見たスマートフォン１が表されている。また、図１（ｂ）では下側から見たスマートフォン１が表されている。スマートフォン１においては、通常使用される際に鉛直上方にくる方（例えば電話用のスピーカが付いている方）が上側、鉛直下方にくる方（例えば電話用のマイクが付いている方）が下側であるものとする。
【００１９】
スマートフォン１を正面から見ると、図１（ａ）に表すように長方形の形をしている。図１では、スマートフォン１の長辺に沿った方向をＸ軸方向、短辺に沿った方向をＹ軸方向、Ｘ軸方向及びＹ軸方向に直交する方向をＺ軸方向として示している。Ｘ軸方向は正面から見て左向きが正方向、Ｙ軸方向は正面から見て下向きが正方向、Ｚ軸方向は正面から裏側に向かう方向を正方向とする（図１（ａ）、（ｂ）、（ｃ）はそれぞれＺ軸正方向、Ｙ軸負方向、Ｚ軸負方向に見ている）。
【００２０】
第１表示部１０は、板状の第１筐体１１と、平面状の第１表示面１２とを有する表示手段である。第２表示部２０は、板状の第２筐体２１と、平面状の第２表示面２２とを有する表示手段である。第１筐体１１には第１表示面１２が設けられ、第２筐体２１は第２表示面２２が設けられている。連結部３０は、第１筐体１１及び第２筐体２１を、第１表示面１２及び第２表示面２２を外向きにして折り畳み可能に連結する。
【００２１】
連結部３０は、円筒の形をした円筒部３１と、円筒部３１の開口をカバーするカバー部３２とを有する。円筒部３１及びカバー部３２の形状について、図２を参照して詳しく説明する。
図２は分解されたスマートフォン１を表す。図２（ａ）では正面から見た第２表示部２０及びカバー部３２が表され、図２（ｂ）では下側から見た第２表示部２０及びカバー部３２が表されている。
【００２２】
カバー部３２は、第２筐体２１のＸ軸正方向側であり且つＹ軸方向の両端に第２筐体２１と一体となってそれぞれ設けられている。図２（ｃ）では正面から見た第１表示部１０及び円筒部３１が表され、図２（ｄ）では下側から見た第１表示部１０及び円筒部３１が表されている。円筒部３１は、第１筐体１１のＸ軸正方向側に第１筐体１１と一体となって設けられている。なお、ここでいう一体とは、１つの部品として製造されたものであっても、２つの部品を接合したものであってもよい。
【００２３】
円筒部３１は、筐体部３１１と、中空部３１２とを有する。筐体部３１１は、円筒の形をした筐体である。筐体部３１１の外周には、第３表示面３３が設けられている。第３表示面３３は、円柱の外周面（円筒部３１の外周面と同じ形状の面）の一部を成す形をしている。また、第３表示面３３は、第１表示面１２に連続する表示面であり、スマートフォン１が備える両筐体（第１筐体１１及び第２筐体２１）が開いたときに第２筐体２１及び連結部３０の隙間に隠れる位置に設けられている。
【００２４】
平面状の第１表示面１２と円柱の外周面の形をした第３表示面３３とは、ひと繋がりの透明な部材（ガラス等）によって滑らかに連続している。第１表示面１２及び第３表示面３３の下層には、これもひと繋がりの表示素子（液晶又は有機ＥＬ（Electro Luminescence）等）が設けられ、第１表示面１２及び第３表示面３３を１つの表示面１３として画像を表示することが可能となっている。第３表示面３３が隙間に隠れる様子について図３及び図４を参照して説明する。
【００２５】
図３及び図４はスマートフォン１が開く様子を表す。図３では下側から見たスマートフォン１が表され、図４では正面から見たスマートフォン１が表されている。図３（ａ）及び図（ａ）では閉じた状態のスマートフォン１が表され、図３（ｂ）及び図４（ｂ）では開きかけの状態のスマートフォン１が表されている。また、図３（ｃ）及び図４（ｃ）では閉じた状態のスマートフォン１が表されている。
【００２６】
図３（ｂ）及び図４（ｂ）に表すように第２筐体２１及び連結部３０（詳細には円筒部３１）の間には隙間Ｂ１ができている。第２筐体２１は、連結部３０側の端で且つ２つのカバー部３２の間に、スマートフォン１が開いたとき第３表示面３３に対向する対向面２３を有する。対向面２３は、円柱の外周面の一部を成す形をした第３表示面３３に対向するため、円筒の内周面の一部を成す形をしている。
【００２７】
対向面２３がこの形をしていることで、対向面が他の形をしている場合に比べて第２筐体２１及び連結部３０の隙間を小さくすることができる。第３表示面３３は、スマートフォン１が閉じた状態では、全体をユーザから見ることができるようになっている。なお、図４では、分かりやすいように第３表示面３３に斜線を付して示している。スマートフォン１が開いていくと、途中から隙間Ｂ１に第３表示面３３が隠れていく。
【００２８】
そして、スマートフォン１が完全に開いた状態になると、本実施例では、第３表示面３３も隙間Ｂ１に完全に隠れた状態になる。一方、この状態でも、第１表示面１２は、隙間Ｂ１に隠れることなくユーザから見えるようになっている。スマートフォン１が完全に開くと、第１表示面１２及び第２表示面２２が並んで１つの表示面として画像を表示することできるようになる。
【００２９】
連結部３０は、上記のとおり中空の円柱の形をしており、その内部に回路が設けられている。具体的には、連結部３０の内部には、撮像手段（デジタルカメラ）の回路と、電気供給手段（バッテリー）の回路とが設けられている。このように、本実施例では、連結部３０が、第１筐体１１及び第２筐体２１の連結だけでなく、回路の格納に利用することができるようになっている。
【００３０】
また、連結部３０（円筒部３１）の内部には、撮像手段の部品としてカメラのレンズ４１が設けられている。レンズ４１は、スマートフォン１が折り畳まれているときには、図１に表すように第２表示面２２と同じ方向（第２表示面２２の法線方向Ａ１＝Ｚ軸方向の正方向）を向く位置に設けられている。この方向は、第１表示面１２が向く方向の反対方向である。
【００３１】
レンズ４１が設けられた円筒部３１は、第１筐体１１と一体になっているので、スマートフォン１が開いても第１表示面１２との向きの関係が変わらない。一方、第２筐体２１は円筒部３１を回転軸にして１８０度回転するので、スマートフォン１が開くと第２表示面２２との向きの関係は反対になる。すなわち、レンズ４１は、スマートフォン１が開いたときには、図３（ｃ）に表すように、Ｚ軸方向の負方向に向くようになった第２表示面２２とは反対方向（Ｚ軸方向の正方向）を向くようになっている。
【００３２】
このレンズ４１の配置により、スマートフォン１が閉じているときには図４（ａ）に表す第１表示面１２を見ながら撮影することができ、スマートフォン１が開いているときには図４（ｃ）に表す第１表示面１２及び第２表示面２２を見ながら撮影することができる。また、スマートフォン１が折り畳まれている状態で自分を撮影する場合は第２表示面２２を見ながら撮影することができる。
【００３３】
このように、スマートフォン１においては、開いているとき、閉じているとき、自撮りのとき及び他撮りのときのいずれのときでも表示面を見ながら撮影することができる。そして、いずれの撮影も、全て同じレンズ４１を用いて行うことができる。また、連結部３０の内部には、図２（ｄ）に表すようにバッテリー４２が設けられている。このバッテリー４２としては、円筒形の筐体部３１１の内部に収まりやすいように、円柱の形をしたいわゆるシリンダバッテリーが用いられている。
【００３４】
このように、本実施例では、連結部３０が、連結だけでなくバッテリーの格納に利用することができるようになっている。また、回転する部材である連結部３０は、上記のとおり円筒の形をしているので、角型のバッテリーを収めるよりもシリンダバッテリーを収める方が無駄な隙間ができずに内部の空間を有効に活用することができる。
【００３５】
図５はスマートフォン１のハードウェア構成を表す。スマートフォン１は、プロセッサ２と、メモリ３と、ストレージ４と、通信装置５と、入力装置６と、出力装置７と、バス８という各装置を備えるコンピュータである。なお、ここでいう「装置」という文言は、回路、デバイス及びユニット等に読み替えることができる。また、各装置は、１つ又は複数含まれていてもよいし、一部の装置が含まれていなくてもよい。
【００３６】
プロセッサ２は、例えば、オペレーティングシステムを動作させてコンピュータ全体を制御する。プロセッサ２は、周辺装置とのインターフェース、制御装置、演算装置、レジスタなどを含む中央処理装置（ＣＰＵ：Central Processing Unit）で構成されてもよい。また、プロセッサ２は、ＯＳ（Operating System：オペレーティングシステム）及び各種のアプリケーションを含むプログラム（プログラムコード）、ソフトウェアモジュール及びデータ等を、ストレージ４及び／又は通信装置５からメモリ３に読み出し、これらに従って各種の処理を実行する。
【００３７】
各種処理を実行するプロセッサ２は１つでもよいし、２以上であってもよく、２以上のプロセッサ２は、同時又は逐次に各種処理を実行してもよい。また、プロセッサ２は、１以上のチップで実装されてもよい。プログラムは、電気通信回線を介してネットワークから送信されてもよい。メモリ３は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。
【００３８】
メモリ３は、レジスタ、キャッシュ及びメインメモリ（主記憶装置）等と呼ばれてもよい。メモリ３は、前述したプログラム（プログラムコード）、ソフトウェアモジュール及びデータ等を保存することができる。ストレージ４は、コンピュータが読み取り可能な記録媒体であり、例えば、ハードディスクドライブ、フレキシブルディスク、フラッシュメモリ（例えば、カード、スティック、キードライブ）、磁気ストリップなどの少なくとも１つで構成されてもよい。
【００３９】
ストレージ４は、補助記憶装置と呼ばれてもよい。上述の記憶媒体は、例えば、メモリ３及び／又はストレージ４を含むデータベース、サーバその他の適切な媒体であってもよい。通信装置５は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００４０】
入力装置６は、外部からの入力を受け付ける入力デバイス（例えば、マイクロフォン、スイッチ、ボタン、センサなど）である。入力装置６は、第１筐体１１及び第２筐体２１の開き具合（開いた角度）を測定するセンサを備える。出力装置７は、外部への出力を実施する出力デバイス（例えば、ディスプレイ、スピーカ、ＬＥＤランプなど）である。スマートフォン１においては、入力装置６及び出力装置７は、一体となって構成されるタッチスクリーンを含んでいる。
【００４１】
このタッチスクリーンは、第１表示部１０及び第２表示部２０のそれぞれに設けられており、どちらの表示部でもユーザによる入力操作が受け付けられるようになっている。プロセッサ２及びメモリ３等の各装置は、情報を通信するためのバス８を介して互いにアクセス可能となっている。バス８は、単一のバスで構成されてもよいし、装置間で異なるバスで構成されてもよい。
【００４２】
また、スマートフォン１は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能ブロックの一部又は全てが実現されてもよい。例えば、プロセッサ２は、これらのハードウェアの少なくとも１つで実装されてもよい。
【００４３】
プロセッサ２は、第１表示面１２、第２表示面２２及び第３表示面３３への画像の表示を制御する。プロセッサ２は本発明の「表示制御部」の一例である。プロセッサ２は、例えば、第１表示面１２、第２表示面２２及び第３表示面３３を１つの表示面として捉えた全画面表示領域への画像の表示を制御する。以下ではこの制御による画像の表示を全画面表示と言う。
【００４４】
全画面表示において、プロセッサ２は、スマートフォン１の開き具合（第１筐体１１及び第２筐体２１の開き具合）に応じて全画面表示領域への表示を制御する。具体的には、プロセッサ２は、スマートフォン１が折り畳まれて第１表示面１２に画像を表示した状態から第３表示面３３が第２筐体２１及び連結部３０の隙間Ｂ１に隠れ始める位置までスマートフォン１が開いた場合に、全画面表示領域への表示制御を開始する。この全外面表示の開始制御について図６を参照して説明する。
【００４５】
図６は全画面表示の開始制御の一例を表す。図６（ａ）では、第１筐体１１及び第２筐体２１が閉じた状態のスマートフォン１が表されている。図６（ｂ）では、この状態における第１表示面１２、第２表示面２２及び第３表示面３３の位置関係を平面上で表している。スマートフォン１が閉じているときは、第２表示面２２及び第３表示面３３の間が間隔Ｌ１だけ離れている。プロセッサ２は、この状態ではまだ全画面表示領域が形成されていないと判断し、第１表示面１２だけに自転車の画像Ｃ１を表示させている。
【００４６】
スマートフォン１が開くにつれて、間隔Ｌ１が次第に狭くなり、図６（ｃ）に表す角度まで開くと、第３表示面３３が第２筐体２１及び連結部３０の隙間Ｂ１に隠れ始める。図６（ｄ）では、図６（ｃ）に表す状態における第１表示面１２、第２表示面２２及び第３表示面３３の位置関係を平面上で表している。なお、図６では、図を見やすくするため第２表示面２２の連結部３０側のベゼル（第２表示面２２の外枠部分）を省略している。
【００４７】
図６（ｄ）では、間隔Ｌ１がなくなり、第２表示面２２及び第３表示面３３が繋がって、３つの表示面を合わせた１つの全画面表示領域１４が形成された状態になっている。プロセッサ２は、図６（ｄ）の状態になったときに、画像Ｃ１の表示を、第１表示面１２だけの表示から、この全画面表示領域１４への全画面表示に切り替えている。このように全画面表示への切り替えが行われることで、ユーザは、スマートフォン１を開くだけで、第１表示面１２だけで見ていた画像を全画面で見ることができる。
【００４８】
図６の例では、プロセッサ２は、画像Ｃ１の縦横比（アスペクト比）を維持しながら全画面表示領域１４に表示可能な最大のサイズで画像Ｃ１−１を表示させている。スマートフォン１をさらに開いたときの表示制御について図７を参照して説明する。
図７は全画面表示制御の一例を表す。図７（ａ）では、図６（ｄ）の状態と同じ全画面表示領域１４−１に表示されている画像Ｃ１−１が表されている。
【００４９】
この状態からスマートフォン１がさらに開くと、図７（ｂ）、（ｃ）に表すように第３表示面３３が隙間Ｂ１に隠れて次第に小さくなり、表示領域も全画面表示領域１４−２、１４−３と次第に幅（表示面が並んだ方向の長さ）が小さくなる。そして最後には、図７（ｄ）に表すように第３表示面３３が見えなくなって第１表示面１２及び第２表示面２２だけで１つの全画面表示領域１４−４が形成された状態になる。
【００５０】
プロセッサ２は、全画面表示させる画像Ｃ１を、縦横比（アスペクト比）を維持しながら、各全画面表示領域１４−１、１４−２、１４−３、１４−４に収まる最大の大きさで（それぞれ画像Ｃ１−１、Ｃ１−２、Ｃ１−３、Ｃ１−４を）表示させている。これらの表示領域は、第１表示面１２、第２表示面２２及び第３表示面３３のうち隙間Ｂ１に隠れている部分を除いた領域である。
【００５１】
全画面表示領域は、スマートフォン１の開き具合に応じて形及び大きさが変わっていく。本実施例では、そのスマートフォン１の開き具合に応じて表示される画像の大きさが変化する一方、開き具合が変わっても縦横比は変化していない。これにより、ユーザは、スマートフォン１を開く間も、画像の形が歪むことなく常に可能な限り大きく表示された画像を見ることができる。
【００５２】
図８は全画面表示制御における動作手順の一例を表す。この動作手順は、スマートフォン１が閉じられて第１表示面１２に画像が表示された状態で開始される。まず、プロセッサ２は、入力装置６のセンサを用いて第１筐体１１及び第２筐体２１の開き角度を測定する（ステップＳ１１）。次に、プロセッサ２は、測定した開き角度が閾値以上であるか否かを判断する（ステップＳ１２）。
【００５３】
この閾値には、第３表示面３３が第２筐体２１及び連結部３０の隙間Ｂ１に隠れ始めるときの開き角度が用いられる。プロセッサ２は、開き角度が閾値未満（ＮＯ）であると判断した場合は、ステップＳ１１に戻る。プロセッサ２は、開き角度が閾値以上（ＹＥＳ）であると判断した場合は、図６の例のように第１表示面１２に表示していた画像を全画面表示に切り替える（ステップＳ１３）。
【００５４】
次に、プロセッサ２は、閾値以上の開き角度が維持されているか否かを判断する（ステップＳ１４）。プロセッサ２は、維持されている（ＹＥＳ）と判断した場合には、図７の例のように開き角度に応じたサイズ（縦横比を維持しながら表示領域に収まる最大の大きさ）で画像を全画面表示し（ステップＳ１５）、ステップＳ１４に戻る。プロセッサ２は、維持されていない（ＮＯ）と判断した場合には、全画面表示していた画像を第１表示面１２に表示する制御に切り替えて（ステップＳ１６）、ステップＳ１１に戻る。
【００５５】
折り畳み式で２つの表示面を有する表示装置において、単に２つの表示面を並べただけだと、各表示面のベゼルが間に挟まれるため、表示面同士が２つのベゼルの幅だけ離れて統一感が損なわれる。本実施例では、全画面表示の際に、隙間Ｂ１に隠れる第３表示面３３にも画像が表示されるので、第３表示面３３側はベゼルが存在しない状態になる。このように、本実施例では、２つの表示面を並べる場合に比べて、表示装置（スマートフォン１）を開いたときの表示面同士の境目を小さくすることができる。
【００５６】
また、スマートフォン１は、表示面を外向けにして折り畳み可能になっている。表示面が内向きだと、２つの筐体が開いたときに表示面の間に連結部が挟まるため、２つの表示面が離れてしまう。例えば図３の例では、２つの筐体が開くと内側の面（表示面の裏面）が連結部３０を挟んで離れるようになっている。反対に、表示面が外向きだと、２つの筐体が開くにつれて両表示面が互いに近づいていくので、表示面を接近させやすい。そのため、スマートフォン１は、表示面を外向きにして折り畳む構造となっている。
【００５７】
［２］変形例
上述した実施例は本発明の実施の一例に過ぎず、以下のように変形させてもよい。
【００５８】
［２−１］表示制御
プロセッサ２は、実施例とは異なる表示制御を行ってもよい。
図９は本変形例の全画面表示制御の一例を表す。図９（ａ）では、プロセッサ２が、図６（ｄ）の状態と同じ全画面表示領域１４−１に、図７（ｄ）の状態で表示していた画像Ｃ１−４を表示させている。
【００５９】
画像Ｃ１−４は、スマートフォン１が全開になったときの全画面表示領域１４−４に収まる最大の大きさで且つ縦横比を維持した画像である。プロセッサ２は、開き角度に関わらず画像Ｃ１−４を表示させ、全開になったときの全画面表示領域１４−４にも図９（ｂ）に表すように画像Ｃ１−４を表示させる。
【００６０】
このように、本変形例では、プロセッサ２は、全画面表示領域に画像を表示させる場合に、その画像を、縦横比を維持しながら、全画面表示領域のうち隙間Ｂ１に隠れている部分を除いた領域に、全画面表示領域が最も小さくなるときにその全画面表示領域（図９の例では全画面表示領域１４−４）に収まる最大の大きさ（画像Ｃ１−４の大きさ）で表示させる。
【００６１】
この場合、最小の全画面表示領域１４−４になるまでは全画面表示領域よりも画像Ｃ１−４の方が小さいので、プロセッサ２は、例えば全画面表示領域１４−１の中央に画像Ｃ１−４を配置して表示させる。また、プロセッサ２は、例えば画像Ｃ１−４の右端を第１表示面１２の右端に固定して表示させてもよい。後者の方法によれば、画像Ｃ１−４のうち第１表示面１２に表示されている部分は動かないので見やすい。
【００６２】
また、本変形例では、全画面表示領域に表示される画像のサイズが一定で変わらないので、サイズが変化する場合に比べて、スマートフォン１を開いている間に全画面表示される画像を見やすくすることができる。なお、本変形例でも、プロセッサ２は、実施例で述べた全画面表示の開始制御は行うので、スマートフォン１の開き具合に応じた全画面表示制御を行っている。
【００６３】
［２−２］境界表示
スマートフォン１を開いて全画面表示領域が形成された状態でも、２つの表示面として画像を表示させる場合がある。その場合に、スマートフォン１においては、上記のとおり第３表示面３３側はベゼルが存在しない状態になるため、２つの表示面の境界が小さくなっている。
【００６４】
そのため、表示させる画像によっては、２つの画像の境界が認識できず、画像全体の表している内容が分かりにくくなる可能性がある。例えば地図アプリの画像とウェブページの画像とが表示されている場合に、ウェブページにも地図の画像が含まれていて地図の境目が分かりにくくなるといった場合である。そこで、プロセッサ２は、全画面表示領域に２つの画像を表示させる場合に、それら２つの画像の境界を示す境界画像を表示させてもよい。
【００６５】
図１０は境界画像の一例を表す。図１０（ａ）では、全画面表示領域１４に、背景の模様が似ている画像Ｃ２及び画像Ｃ３が表示されている。本変形例のプロセッサ２は、図１０（ｂ）に表すように、画像Ｃ２及び画像Ｃ３の境界を表す境界画像Ｄ１を表示させている。境界画像Ｄ１は、細長く黒い矩形の画像である。プロセッサ２は、図１０の例では、第１表示面１２の第２表示面２２側の端に境界画像Ｄ１を表示させている。
【００６６】
この位置にしたのは、第１表示面１２の方がベゼルがない分だけ第２表示面２２よりも少し大きいからである。但し、この位置に限定する必要はなく、第２表示面２２側に境界画像Ｄ１が表示されてもよい。また、境界画像の色及び形も図１０の例に限定する必要はない。要するに、２つの画像の境界がより明確になるのであれば、どのような画像が境界画像として表示されてもよい。
【００６７】
本変形例では、境界画像が表示されることで、境界画像が表示されない場合に比べて、２つの画像の境界が認識できないことによる画像の見にくさが生じにくいようにすることができる。
【００６８】
［２−３］第３表示面
連結部３０に設けられた第３表示面３３は、スマートフォン１が完全に開いた状態（全開状態）において隙間Ｂ１に完全に隠れていた。しかし、第２筐体２１の材質及び内部構造等によっては、第３表示面３３を完全に覆うほど第２筐体２１を鋭利な形状にすることが難しい場合があるため、全開状態において第３表示面３３の一部が見えていてもよい。その場合は、プロセッサ２は、全開状態においても、第１表示面１２、第３表示面３３の一部（見えている部分）及び第２表示面２２を全画面表示領域として画像を表示させる。
【００６９】
［２−４］発明のカテゴリ
本発明は、スマートフォンに限らず、例えばタブレット端末等にも適用可能である。本発明は、折り畳み可能な２つの表示面を有する表示装置であれば、その用途に関わらず適用することができる。また、本発明は、それらの表示装置が実施する処理を実現するための情報処理方法としても捉えられ、また、表示装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【００７０】
［２−５］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【００７１】
［２−６］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７２】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７３】
１…スマートフォン、１０…第１表示部、１１…第１筐体、１２…第１表示面、１３…表示面、１４…全画面表示領域、２０…第２表示部、２１…第２筐体、２２…第２表示面、２３…対向面、３０…連結部、３１…円筒部、３２…カバー部、３３…第３表示面、４１…レンズ、４２…バッテリー、３１１…筐体部、３１２…中空部。
【図１】
2020118751.tif 000003
【図２】
2020118751.tif 000004
【図３】
2020118751.tif 000005
【図４】
2020118751.tif 000006
【図５】
2020118751.tif 000007
【図６】
2020118751.tif 000008
【図７】
2020118751.tif 000009
【図８】
2020118751.tif 000010
【図９】
2020118751.tif 000011
【図１０】
2020118751.tif 000012